(57)【要約】【課題】  部品を共通化して、レイアウト変更にも容易に対応できるとともに、ポップカードの交換が容易で、充分な量の情報量を表示しうるポップカード用のホルダー支持装置を提供する。【解決手段】  陳列棚１の支柱２，３の上端に支持杆６，７を立設し、上向きコ字状の下枠９と、左右の側杆１０，１０と、前後１対の上杆１１，１１とよりなるポップカードホルダー８の左右の側杆１０，１０に左右外側向きの係止具１２，１２を固着し、この係止具１２，１２を支持杆６，７に外嵌して支持する。  ポップカード１３は、上方より前後１対の上杆１１，１１間の間隙内に挿入され、上向きコ字状の下枠９で保持される。【選択図】        図４
2006212342.tif 000002
【特許請求の範囲】
【請求項１】
陳列棚の左右方向に複数設けられた支柱の上端に支持杆を立設するとともに、左右端部に左右方向の外側向きに開口する係合部を設けたポップカードホルダーを、前記左右の係合部を前記支持杆に外嵌することにより、陳列棚上に取付けたことを特徴とする陳列棚のポップカードホルダー支持装置。
【請求項２】
ポップカードホルダーを、少なくとも下枠と、その両端部において立設された左右の側杆とにより構成し、かつ左右の側杆に、平面視において左右方向の外側向きに開口するＵ字状の係止具を固着して係合部を形成し、このＵ字状の係止具を、左右の支持杆に外嵌することにより、ポップカードホルダー支持装置を陳列棚上に取付けたことを特徴とする請求項１記載の陳列棚のポップカードホルダー支持装置。
【請求項３】
左右の側杆に固着したＵ字状の係止具の上下方向の位置を、左右の側杆で異なるようにしたことを特徴とする請求項２記載の陳列棚のポップカードホルダー支持装置。
【請求項４】
ポップカードホルダーの左右の側杆を、平面視において、左右方向の外側向きに開口するコ字状とすることにより係合部を形成し、この係合部を、左右の支持杆に外嵌することにより、陳列棚上に取付けたことを特徴とする請求項１記載の陳列棚のポップカードホルダー支持装置。
【請求項５】
左右の側杆において、外側向きに開口するコ字状として形成した係合部の位置を、左右の側杆で異なるようにしたことを特徴とする請求項４記載の陳列棚のポップカードホルダー支持装置。
【請求項６】
ポップカードホルダーを、側面視上向きコ字状の下枠と、その両端部において立設された側杆と、この左右側杆の上端部の前後に互いに間隔をもって配設された前後１対の上杆とから構成したことを特徴とする請求項１〜５のいずれかに記載の陳列棚のポップカードホルダー支持装置。
【請求項７】
ポップカードホルダーを、側面視上向きコ字状の下枠と、その両端部から立ち上がり、上部で互いに連結された上部連結杆と、この上部連結杆と下枠の左右端近傍において、上部連結杆と下枠の前後に互いに間隔をもって縦向きに配設された左右２対の縦杆とから構成したことを特徴とする請求項１〜５のいずれかに記載の陳列棚のポップカードホルダー支持装置。
【発明の詳細な説明】
【技術分野】
【０００１】
本発明は、店舗等で使用される陳列棚のポップカードホルダー支持装置に関する。
【背景技術】
【０００２】
陳列棚に陳列された商品についての情報表示体であるポップカードを支持する装置は、種々提案されている（たとえば、特許文献１，２，３）。
しかし、これら従来のものは、ポップカードの交換に手数を要したり、ポップカードが小さく、商品情報の表示量が制約されたりする場合がある。
【０００３】
これらを解決するものとして、たとえば、図１１に要部斜視図、図１２に分解斜視図を示すようなポップカードホルダー支持装置が挙げられる。
すなわち、図１２に示すように、陳列棚(01)における支柱(02)の上端開口(03)に、ポップカード(04)を支持する支持杆(05)(06)の脚部(05a)(06a)を嵌入して取付けるとともに、支持杆(05)(06)に左右方向の内側向きに開口する係合溝(05b)(06b)を設け、かつこの係合溝(05b)(06b)に、側面視上向きコ字状の下枠(07)を嵌め込みポップカードホルダー支持装置(08)が形成されている。
【０００４】
ポップカード(04)を、上方から、前記係合溝(05b)(06b)および下枠(07)に落とし込むことにより、安定的に支持することができる。
【０００５】
しかし、かかるポップカードホルダー支持装置(08)は、陳列棚(01)の左右両端における支持杆(05)(05)においては、単に左右の一方にのみ係合溝(05b)を設ければよいが、中間の支持杆(06)については、左右両方に係合溝(06b)(06b)を設けなければならず、支持杆(05)(06)を共通にできないという問題がある。
【特許文献１】特開２００４−２１５８６９号公報
【特許文献２】特開２００２−２０９６８６号公報
【特許文献３】特開２０００−１２２５６０号公報
【特許文献４】特開平８−２７２３０４号公報
【発明の開示】
【発明が解決しようとする課題】
【０００６】
本発明は、前記の問題点に鑑み、左右両端と中間の支持杆を共通化して、レイアウト変更により陳列棚を構成する単位棚の左右方向の連結数を増減させる場合にも、支持杆を交換することなく、容易に対応することができるようにした陳列棚用のポップカードホルダー支持装置を提供することを目的とする。
【０００７】
また、併せて、ポップカードの交換にも手数を要せず、かつ充分な量の商品情報を表示しうるポップカードを保持することができるポップカードホルダー支持装置を提供することを目的とする。
【課題を解決するための手段】
【０００８】
上記課題は、特許請求の範囲における各請求項に示すように、下記の構成を備える発明によって解決される。
(１)  陳列棚の左右方向に複数設けられた支柱の上端に支持杆を立設するとともに、左右端部に左右方向の外側向きに開口する係合部を設けたポップカードホルダーを、前記左右の係合部を前記支持杆に外嵌することにより、陳列棚上に取付けたことを特徴とする陳列棚のポップカードホルダー支持装置とする。
【０００９】
(２)  上記(１)項において、ポップカードホルダーを、少なくとも下枠と、その両端部において立設された左右の側杆とにより構成し、かつ左右の側杆に、平面視において左右方向の外側向きに開口するＵ字状の係止具を固着して係合部を形成し、このＵ字状の係止具を、左右の支持杆に外嵌することにより、ポップカードホルダー支持装置を陳列棚上に取付ける。
【００１０】
(３)  上記(２)項において、左右の側杆に固着したＵ字状の係止具の上下方向の位置を、左右の側杆で異なるようにする。
【００１１】
(４)  上記(１)項において、ポップカードホルダーの左右の側杆を、平面視において、左右方向の外側向きに開口するコ字状とすることにより係合部を形成し、この係合部を、左右の支持杆に外嵌することにより、陳列棚上に取付ける。
【００１２】
(５)  上記(４)項において、左右の側杆において、外側向きに開口するコ字状として形成した係合部の位置を、左右の側杆で異なるようにする。
【００１３】
(６)  上記(１)項〜(５)項のいずれかにおいて、ポップカードホルダーを、側面視上向きコ字状の下枠と、その両端部において立設された側杆と、この左右側杆の上端部の前後に互いに間隔をもって配設された前後１対の上杆とから構成する。
【００１４】
(７)  上記(１)項〜(５)項のいずれかにおいて、ポップカードホルダーを、側面視上向きコ字状の下枠と、その両端部から立ち上がり、上部で互いに連結された上部連結杆と、この上部連結杆と下枠の左右端近傍において、上部連結杆と下枠の前後に互いに間隔をもって縦向きに配設された左右２対の縦杆とから構成する。
【発明の効果】
【００１５】
本発明によると、次のような効果が奏せられる。
請求項１記載の発明によれば、ポップカードホルダーの左右端部に設けられた外側向きに開口する係合部を、陳列棚の支柱上に立設された支持杆に外嵌させることにより、ポップカードホルダーを陳列棚上に取付けてあるため、陳列棚における左右両端と中間の支持杆を共通化することができ、レイアウト変更により陳列棚を構成する単位棚の左右方向の連結数を増減させる場合にも、支持杆を交換することなく、容易に対応することができる。
【００１６】
請求項２記載の発明によれば、係合部を容易に形成して、請求項１記載の効果を得ることができる。
【００１７】
請求項３記載の発明によれば、左右方向に連結された隣接する単位棚において、中間の支持杆を共用する場合に、隣接するポップカードホルダーの係止具を、相互に干渉することなく、支持杆に外嵌させることができる。
【００１８】
請求項４記載の発明によれば、ポップカードホルダーの左右の側杆を、平面視において左右方向の外側向きに開口するコ字状とすることにより係合部が形成されているため、係合部の形成が容易であるとともに、見栄えも良好である。
【００１９】
請求項５記載の発明によれば、左右方向に連結された隣接する単位棚において、中間の支持杆を共用する場合に、隣接するポップカードホルダーの係合部を、相互に干渉することなく、支持杆に外嵌させることができる。
【００２０】
請求項６記載の発明によれば、ポップカード交換の際に、上方より現在のポップカードを引き抜き、新しいポップカードを落とし込むだけの極めて簡単な作業で交換することができる。
また、ポップカードを、単位棚とほぼ同じ幅の大きさにすることができるため、充分な量の商品情報を表示することができる。
【００２１】
請求項７記載の発明によれば、ポップカード交換の際に、側方より現在のポップカードを引き抜き、新しいポップカードを差し込むだけの極めて簡単な作業で交換することができる。
【発明を実施するための最良の形態】
【００２２】
図１は、本発明のポップカードホルダー支持装置を備える陳列棚の斜視図、図２は、図１に示すポップカードホルダー支持装置を備える陳列棚の要部拡大斜視図、図３、図４は、それぞれ、図２に示すポップカードホルダー支持装置を備える陳列棚の平面図、分解斜視図である。
【００２３】
本発明の陳列棚(１)は、図１に示すように、左右の支柱(２)(２)間に、上下方向に複数の棚板(４)が配設されて形成された単位棚(５)(５)が、左右方向に２個連設されて構成されている。
２個の単位棚(５)(５)は、中間の支柱(３)を共用し、一体化されている。
【００２４】
図４に示すように、支柱(２)(３)の上端の開口(2a)(3a)には、支持杆(６)(７)の脚部(6a)(7a)が嵌入されて支持杆(６)(７)が立設されている。
【００２５】
支持杆(６)(７)は、平面視長方形の基板(6b)(7b)と、この基板(6b)(7b)の中央に立設された支持杆本体(6c)(7c)と、基板(6b)(7b)の下面に下向きに延設された前後１対の脚部(6a)(7a)とにより形成され、脚部(6a)(7a)が支柱(２)(３)上端の開口(2a)(3a)に嵌入されるとともに、基板(6b)(7b)によって前記開口(2a)(3a)が閉塞されるようになっている。
【００２６】
ポップカードホルダー(８)は、側面視上向きコ字状の下枠(９)と、その左右両端部において立設された側杆(10)(10)と、この左右の側杆(10)(10)の上端部の前後に互いに間隔をもって配設された前後１対の上杆(11)(11)とから構成されている。
【００２７】
左右の側杆(10)(10)には、平面視において左右方向の外側向きに開口するＵ字状の係止具(12)(12)が、それぞれ上下方向に２個ずつ固着されている。
【００２８】
図２，図３に示すように、前記係止具(12)(12)を左右の支持杆本体(6c)(7c)に外嵌することにより、ポップカードホルダー(８)が陳列棚(１)上に取付けられている。
【００２９】
左右の側杆(10)(10)における係止具(12)(12)の上下方向の位置は、左右の側杆(10)(10)で異なるようにしてあり、隣接するポップカードホルダー(８)(８)における側杆(10)(10)の係止具(12)が、中間の支持杆(７)に同時に外嵌する場合にも、相互に干渉しないようになっている。
【００３０】
ポップカード(13)は、ポップカードホルダー(８)の上方より、前後１対の上杆(11)(11)間の間隙内に挿入し、その下縁部(13a)を、側面視上向きコ字状の下枠(９)におけるコ字状内に嵌入することにより、ポップカードホルダー(８)に保持されるようになっている。
【００３１】
図５は、ポップカードホルダーの第２実施形態を示す、図４に対応する分解斜視図である。
【００３２】
ポップカードホルダー(14)は、側面視上向きコ字状の下枠(15)と、その左右両端部において立設されたやや短い側杆(16)(16)と、この左右側杆(16)(16)の上端部の前後に、互いに間隔をもって配設された前後１対の正面視山形状の上杆(17)(17)とから構成されている。
【００３３】
左右の側杆(16)(16)には、平面視において左右方向の外側向きに開口するＵ字状の係止具(18)(18)が、それぞれ上下方向に２個ずつ固着されている。
【００３４】
このポップカードホルダー(14)は、図１〜図４に示した第１実施形態のポップカードホルダー(８)に比較して、次のような長所を有する。すなわち、第１実施形態のポップカードホルダー(８)の場合は、ポップカード(13)の上下方向の長さは、ポップカードホルダー(８)の上下方向の長さとほぼ同じもの、あるいはそれより大きいものに限定されるが、第２実施形態のポップカードホルダー(14)の場合は、ポップカードホルダー(14)の上下方向の長さより小さい上下方向の長さを有するポップカード(19)であっても、左右の側杆(16)(16)の上下方向の長さより大きいものであれば保持することができる。
【００３５】
図６は、ポップカードホルダーの第３実施形態を示す図４に対応する分解斜視図である。
【００３６】
ポップカードホルダー(20)は、側面視上向きコ字状の下枠(21)と、その左右両端部から立ち上がり上部において漸次接近して互いに連結される正面視アーチ形の上部連結杆(22)と、この上部連結杆(22)と下枠(21)の左右端近傍において、上部連結杆(22)と下枠(21)の前後に互いに間隔をもって縦向きに配設された前後１対の縦杆(23)(23)を左右に２対配設して構成されている。
【００３７】
上部連結杆(22)における左右の垂直杆部（側杆）(22a)(22a)には、平面視において左右方向の外側向きに開口するＵ字状の係止具(24)(24)が、それぞれ上下方向に２個ずつ固着されている。
【００３８】
ポップカード(25)は、左右に配設された前後の縦杆(23)(23)間の間隙内に、側方より挿入することにより、ポップカードホルダー(20)に容易に保持される。
【００３９】
ポップカード(25)は、前後の縦杆(23)(23)と下枠(21)によって保持されているため、ポップカード(25)の上下方向の長さは短いものであっても、保持することができる。
【００４０】
図７は、ポップカードホルダー支持装置を備える陳列棚の第２実施形態を示す要部斜視図、図８は、図７に示すポップカードホルダー支持装置を備える陳列棚の平面図である。
なお、ポップカードホルダー支持装置(26)を除く陳列棚(１)の部分は、第１実施形態と同一であるので、同じ符号を付して説明を省略する。
【００４１】
図７に示すように、支柱(２)(３)の上端の開口(2a)(3a)には、支持杆(27)(28)の脚部(27a)(28a)が嵌入されて支持杆(27)(28)が立設されている。
【００４２】
支持杆(27)(28)は、平面視長方形の基板(27b)(28b)と、この基板(27b)(28b)の中央に立設された左右方向を向く板状体からなる支持杆本体(27c)(28c)と、基板(27b)(28b)の下面に下向きに延設された前後１対の脚部(27a)(28a)とにより形成され、脚部(27a)(28a)が、支柱(２)(３)の上端の開口(2a)(3a)に嵌入されるとともに、基板(27b)(28b)によって前記開口(2a)(3a)が閉塞されている。
【００４３】
ポップカードホルダー(29)は、側面視上向きコ字状の下枠(30)と、その左右両端部において立設される、平面視において、左右方向の外側向きに開口するコ字状の側杆(31)(31)と、この左右の側杆(31)(31)の上端部の前後に互いに間隔をもって配設された前後１対の上杆(32)(32)とから構成されている。
【００４４】
この第２実施形態が、図１〜図４に示した第１実施形態と異なる主な点は、第１実施形態の場合は、側杆(10)にＵ字状の係止具(12)が固着されて支持杆(６)(７)との係合部が形成されていたが、第２実施形態においては、左右の側杆(31)(31)自体を、平面視において左右方向の外側向きに開口するコ字状のものとすることにより、支持杆(27)(28)との係合部が形成されていることである。
【００４５】
図８に示すように、ポップカードホルダー(29)における外側向きに開口するコ字状からなる左右の側杆(31)(31)を、支持杆(27)(28)における支持杆本体(27c)(28c)に外嵌させることにより、ポップカードホルダー(29)が保持されるようになっている。なお、符号(33)は、ポップカードを示す。
【００４６】
図９は、ポップカードホルダー支持装置を備える陳列棚の第３実施形態を示す要部斜視図、図１０は、図９に示すポップカードホルダー支持装置を備える陳列棚の要部拡大斜視図である。
【００４７】
第３実施形態が、第２実施形態と異なる点は、ポップカードホルダー(34)の左右の側杆(35)(36)において、左右方向の外側向きに開口するコ字状として形成された係合部(35a)(36a)の位置が、左右の側杆(35)(36)で異なるように形成されていることである。すなわち、図１０に示すポップカードホルダー(34)において、左側杆(35)は係合部(35a)が上半部分に形成されているが、右側杆(36)は係合部(36a)が下半部分に形成されている。
【００４８】
このため、隣接する左右のポップカードホルダー(34)(34)を支持杆(37)(38)に支持させた場合、中間の支持杆(38)に外嵌される、左側のポップカードホルダー(34)の右側杆(36)における係合部(36a)と、右側のポップカードホルダー(34)の左側杆(35)における係合部(35a)とを、相互に干渉することなく支持杆(38)に外嵌させることができる。
【００４９】
左右の側杆(35)(36)をこのように形成することにより、支持杆(37)(38)との係合を良好にすることができるとともに、複数のポップカードホルダー(34)を、支持杆(37)(38)に支持させる場合、左側から、順次、支持杆(37)(38)に外嵌して支持させることができるため作業が容易である。
【００５０】
なお、左右の側杆(35)(36)において、係合部(35a)(36a)でない部分(35b)(36b)も、強度の関係から、左右外側向きに開口する溝状に形成されているが、溝の深さは小さくて、実質的な係合部としての機能は有していないが、第２係合部として、補助的な係合機能をもたせる形態としてもよい。
【図面の簡単な説明】
【００５１】
【図１】本発明のポップカードホルダー支持装置を備える陳列棚の斜視図である。
【図２】図１に示すポップカードホルダー支持装置を備える陳列棚の要部拡大斜視図である。
【図３】図２に示すポップカードホルダー支持装置を備える陳列棚の平面図である。
【図４】同じく、図２に示すポップカードホルダー支持装置を備える陳列棚の分解斜視図である。
【図５】ポップカードホルダーの第２実施形態を示す図４に対応する分解斜視図である。
【図６】同じく、ポップカードホルダーの第３実施形態を示す図４に対応する分解斜視図である。
【図７】ポップカードホルダー支持装置を備える陳列棚の第２実施形態を示す要部斜視図である。
【図８】図７に示すポップカードホルダー支持装置を備える陳列棚の平面図である。
【図９】ポップカードホルダー支持装置を備える陳列棚の第３実施形態を示す要部斜視図である。
【図１０】図９に示すポップカードホルダー支持装置を備える陳列棚の要部拡大斜視図である。
【図１１】従来のポップカードホルダー支持装置を示す要部斜視図である。
【図１２】図１１に示すポップカードホルダー支持装置の分解斜視図である。
【符号の説明】
【００５２】
(１)陳列棚
(２)(３)支柱
(2a)(3a)開口
(４)棚板
(５)単位棚
(６)(７)支持杆
(6a)(7a)脚部
(6b)(7b)基板
(6c)(7c)支持杆本体
(８)ポップカードホルダー
(９)下枠
(10)側杆
(11)上杆
(12)係止具
(13)ポップカード
(13a)下縁部
(14)ポップカードホルダー
(15)下枠
(16)側杆
(17)上杆
(18)係止具
(19)ポップカード
(20)ポップカードホルダー
(21)下枠
(22)上部連結杆
(22a)垂直杆部
(23)縦杆
(24)係止具
(25)ポップカード
(26)ポップカードホルダー支持装置
(27)(28)支持杆
(27a)(28a)脚部
(27b)(28b)基板
(27c)(28c)支持杆本体
(29)ポップカードホルダー
(30)下枠
(31)側杆
(32)上杆
(33)ポップカード
(34)ポップカードホルダー
(35)(36)側杆
(35a)(36a)係合部
(35b)(36b)非係合部
(37)(38)支持杆
(01)陳列棚
(02)支柱
(03)開口
(04)ポップカード
(05)(06)支持杆
(05a)(06a)脚部
(05b)(06b)係合溝
(07)下枠
(08)ポップカードホルダー支持装置
【図１】
2006212342.tif 000003
【図２】
2006212342.tif 000004
【図３】
2006212342.tif 000005
【図４】
2006212342.tif 000006
【図５】
2006212342.tif 000007
【図６】
2006212342.tif 000008
【図７】
2006212342.tif 000009
【図８】
2006212342.tif 000010
【図９】
2006212342.tif 000011
【図１０】
2006212342.tif 000012
【図１１】
2006212342.tif 000013
【図１２】
2006212342.tif 000014